(57)【要約】  アンテナダイバーシティ装置においては、複数の受信帯域のうちの少なくとも１つが周波数スペクトルに関して隣接して並置されるようにアンテナ側における周波数変換（３）が行われる。これによりダイバーシティ信号を共通の伝送媒体（５）を介して受信器（６）に伝送することができる。
2008524948.tif 000002
【特許請求の範囲】
【請求項１】
アンテナダイバーシティ装置において、
複数のアンテナ（１１，１２）と、ダイバーシティアンテナ（１１，１２）の複数の受信帯域が周波数スペクトルに関して隣接して並置され、共通の伝送媒体（５）、例えば同軸ケーブルを介して伝送されるようにアンテナ（１２）の少なくとも１つの受信帯域を変換するアンテナ側の周波数変換器（３）とを有することを特徴とする、アンテナダイバーシティ装置。
【請求項２】
ダイバーシティアンテナ信号のうちの１つはさらに周波数変換されることなく、周波数に関して変換された別のダイバーシティアンテナ信号と一緒に、周波数フィルタ（４）を介して共通の媒体（５）に供給されている、請求項１記載の装置。
【請求項３】
共通の媒体（５）に接続されている受信器（６）の局部発振器信号または該局部発振器信号から導出された信号を周波数変換に使用する、請求項１または２記載の装置。
【請求項４】
局部発振器信号はダイバーシティアンテナの信号の伝送方向とは反対の方向で共通の媒体（５）に供給される、請求項３記載の装置。
【請求項５】
受信側においては、アンテナ側において既に周波数変換されたアンテナダイバーシティ信号のための中間周波数変換器（８）が設けられている、請求項１から４までのいずれか１項記載の装置。
【請求項６】
ダイバーシティアンテナが２つより多く設けられている場合には、アンテナ側において変換すべき別の各受信帯域に対して、対応する変換周波数が例えば周波数分離または周波数多重化によって受信器（６）の局部発振器信号から導出される、請求項３から５までのいずれか１項記載の装置。
【発明の詳細な説明】
【技術分野】
【０００１】
従来技術
アンテナダイバーシティ装置においては、個々のアンテナ信号が信号の受信品質を評価するために評価回路に供給される。たいていの場合、全てのダイバーシティアンテナ信号の和信号または最も強い単一の信号が受信装置に供給される（DE101 09 359 C2を参照されたい）。
【０００２】
発明の利点
請求項１に記載されている措置により、すなわちダイバーシティアンテナの複数の受信帯域が周波数スペクトルに関して隣接して並置されるようにアンテナの少なくとも１つの受信帯域を変換するアンテナ側の周波数変換により、複数のダイバーシティアンテナ信号を１つの共通の伝送媒体、殊に同軸ケーブルを介して伝送することができる。
【０００３】
従来、各アンテナのアンテナ信号はそれぞれ別個のケーブルを介して受信器に供給されていた。本発明においては１つの同軸ケーブルのみが必要とされる。
【０００４】
付加的なコストはそれ程高くない。確かにアンテナ側においては周波数変換器および周波数フィルタが必要とされるが、有利には同様にアンテナ線路を介してダイバーシティアンテナの信号の伝送方向とは逆方向に伝送することができる受信器の局部発振器信号が有利には変換のために使用される場合には、既にアンテナ側において変換された信号の周波数を受信器において変換することは必要なくなる。アンテナ側においては要求される中間周波数位置に直接変換することができる。
【０００５】
従属請求項には有利な実施形態が記載されている。
【０００６】
図面
本発明による装置のブロック回路図を示す図１に基づき本発明の実施例を説明する。
【０００７】
実施例の説明
図１に示されているように、２つのアンテナ１０および１１がアンテナダイバーシティ動作のために設けられている。もちろん、ダイバーシティ動作および本発明による原理の使用は、２つより多くのアンテナを用いても実施することができる。アンテナの受信帯域はＦＭ１およびＦＭ２で表されている。アンテナダイバーシティ動作においては受信帯域が等しい。したがってここでは、それぞれの受信信号がどのアンテナから到来したかを明らかにするため（アンテナ１１からＦＭ１、アンテナ１２からＦＭ２）にのみＦＭ１とＦＭ２は区別される。もちろんレベルに関して受信信号が相互に異なる可能性があり、これはまさにダイバーシティ評価の効果にとって有用である。
【０００８】
アンテナ側においてはモジュール２が設けられており、このモジュール２を用いて、ダイバーシティアンテナの複数の周波数帯域が周波数スペクトルに関して隣接して並置されるように、受信帯域ＦＭ１またはＦＭ２のうちの少なくとも１つの帯域が変換される。すなわち周波数帯域は周波数に関して重畳しない、もしくはごく僅かにした重畳しない。実施例においてはアンテナ１２の受信帯域ＦＭ２がミクサ３を用いて中間周波数位置ＺＦ２に変換される。変換されない信号ＦＭ１は変換された信号ＺＦ２と周波数フィルタ４を介して統合され、一緒に伝送媒体５、有利には同軸ケーブルを介して受信器６、もしくはこの受信器６に付属して配置されているか統合されているダイバーシティ信号評価部に伝送される。周波数フィルタ４は信号ＦＭ１についてのバンドパス４１および信号ＺＦ２についてのバンドパス４２から構成されている。受信器６においては、周波数フィルタ７を介することにより相応の帯域フィルタ７１および７２を用いて信号が再び個々の信号ＦＭ１およびＦＭ２へと分離される。ミクサ３のためのミクサ周波数が相応に選定されている場合には、信号ＺＦ２を受信器６においてさらに変換することなく処理することができる。信号ＦＭ１は受信器６においてミクサ８を用いて通常の中間周波数位置ＺＦ１に変換される。ミクサ８のミクサ周波数として局部発振器９の出力信号ＬＯが使用される。
【０００９】
殊に有利には、ミクサ３のためのミクサ周波数として局部発振器９の出力信号ＬＯが使用される。このために、アンテナ１１および１２から取り出され、モジュール２において処理され受信器６へと伝送される信号ＦＭ１およびＦＭ２の伝送方向とは反対の方向において、信号ＬＯがバンドパス６１を介して同軸ケーブル５に供給される。バンドパス２１を介してＬＯ信号はアンテナ側においてフィルタリングされ、ミクサ信号としてミクサ３に供給される。
【００１０】
２つより多くのアンテナが設けられている場合には、さらなる信号を同様に僅かな手間で変換し、この信号を周波数スペクトルにおいて別のダイバーシティ信号と隣接させることができる。このために必要とされる変換周波数を分離または多重化によって簡単にＬＯ信号から導出することができる。有利には、フィルタコストを制限するために周波数分離または周波数多重化はモジュール２において初めて行われる。場合によってはさらに別のフィルタ／バンドパス装置が必要とされる。
【００１１】
ＺＦのためのフィルタないしバンドパス４２は周波数に関して固定されている。これはＺＦを適切に選定した場合、例えば３０ＭＨｚに選定した場合に当てはまる。つまりＦＭ周波数においては８８〜１０８ＭＨｚであり、ＬＯ周波数においては７８〜５８ＭＨｚである。このことはまた、ＦＭ周波数のためのフィルタないしバンドパス４２およびＬＯ周波数のためのフィルタないしバンドパス６１にも当てはまる。ＺＦがより低く選定される場合、今日では慣例であるように１０ＭＨｚに選定される場合、つまりＦＭ周波数においては８８〜１０８ＭＨｚが選定され、ＬＯ周波数においては９８〜７８ＭＨｚが選定される場合には、相応のフィルタを調節する必要がある。
【図面の簡単な説明】
【００１２】
【図１】本発明による装置のブロック回路図。
【図１】
2008524948.tif 000003
【国際調査報告】
2008524948.tif 000004
2008524948.tif 000005
2008524948.tif 000006
2008524948.tif 000007